(57)【要約】【課題】同一配管を通じて，氷蓄熱時には蓄熱槽内にシャーベット状の氷を供給し，顕熱蓄熱時には顕熱用水を供給するにあたり，蓄熱槽内に圧密度の高い蓄氷を可能とする。【解決手段】シャーベット状の氷を蓄熱槽内に供給する供給管１６に取り付けられる筒型の本体３１とを有している。本体３１の頂上部には第１の開口部３２が形成され，本体３１の側面には第２の開口部となる小孔３３が形成されている。小孔３３の全体の通過抵抗が，小孔３３から第１の開口部３２までの水頭圧以上である。【選択図】　図３
2004093000.tif 000002
【特許請求の範囲】
【請求項１】
蓄熱槽内にシャーベット状の氷を供給するための供給部材であって，
前記シャーベット状の氷を蓄熱槽内に供給する配管に取り付けられ，垂直に配置される筒型の本体と，
前記本体の頂上部に形成された第１の開口部と，前記本体の側面に形成された第２の開口部とを有し，
前記第２の開口部の通過抵抗が，前記第２の開口部から前記第１の開口部までの水頭圧以上であることを特徴とする，蓄熱槽用供給部材。
【請求項２】
蓄熱槽内にシャーベット状の氷を供給するための供給部材であって，
前記シャーベット状の氷を蓄熱槽内に供給する配管に取り付けられ，垂直に配置される筒型の本体と，
前記本体の頂上部に形成された第１の開口部と，前記本体の側面に形成された第２の開口部とを有し，
前記第２の開口部は複数のスリット又は小径の孔からなることを特徴とする，蓄熱槽用供給部材。
【請求項３】
前記本体における第２の開口部の下側周囲に，水平板が設けられていることを特徴とする，請求項１又は２に記載の蓄熱槽用供給部材。
【請求項４】
前記本体における第２の開口部の上側周囲に，水平板が設けられていることを特徴とする，請求項３に記載の蓄熱槽用供給部材。
【請求項５】
蓄熱槽内の水を取水してシャーベット状の氷を生成し，当該シャーベット状の氷を配管を通じて蓄熱槽内に供給するように構成された氷蓄熱システムにおいて，
前記配管に対して請求項１〜４のいずれかに記載の蓄熱槽用供給部材を取り付けると共に，前記蓄熱槽用供給部材における第１の開口部が槽内の液面より突出し，かつ第２の開口部が槽内の液面下に位置するように前記蓄熱槽用供給部材を位置させ，
シャーベット状の氷を供給する際には，前記蓄熱槽用供給部材における第１の開口部からシャーベット状の氷を吐出させ，
前記蓄熱槽を顕熱蓄熱槽として利用する場合には，前記配管を通じて前記蓄熱槽用供給部材における第２の開口部から顕熱用水を槽内に供給することを特徴とする，氷蓄熱システムの運転方法。
【発明の詳細な説明】
【０００１】
【発明の属する技術分野】
本発明は，いわゆるダイナミック型氷蓄熱システムに使用するのに適した蓄熱槽用供給部材，及び当該氷蓄熱システムの運転方法に関するものである。
【０００２】
【従来の技術】
氷蓄熱システムは高密度に熱を蓄えられるものの，例えば冷熱負荷需要によっては，冬期に氷蓄熱システムの設備を休止する場合がある。かかる場合，冷水蓄熱や，さらには温水蓄熱の蓄熱設備として利用できれば，設備自体を有効に活用することができる。
【０００３】
この点に関して，例えば特許第３３００７１４号公報には，ダイナミック型氷蓄熱システムの蓄熱槽に対して，蓄氷運転時には蓄熱槽の水面下に設置されたディストリビュータを通じて氷・水スラリーを蓄熱槽に供給し，一方温水蓄熱時には，前記ディストリビュータを通じて温水を水面近傍から水中に供給するようにして，ダイナミック型氷蓄熱システムの蓄熱槽を有効に利用することが提案されている。
【０００４】
そしてかかる先行技術において開示されているディストリビュータは，供給口の先端にドーナツ状の円板を取り付け，さらに該円板の上方に同外形の円板を取り付けた構造であり，しかもこれを水面下に配置しているため，蓄氷運転の際にも氷・水スラリー状態のシャーベット状の氷を両円板の間から水中に放出するようにしている。
【０００５】
【発明が解決しようとする課題】
しかしながらそのように水面下に位置する両円板の間から氷・水スラリー状態のシャーベット状の氷を水中に放出しているのでは，吐出した氷で両円板間の放出口が閉塞する恐れがあり，また水中で分離した氷部分が浮遊し，その後次第に蓄氷する過程において圧密度合いに限界があり，その結果蓄わえる潜熱の量にも限界があり，さらなる改善が待たれるところであった。
【０００６】
本発明は，かかる点に鑑みてなされたものであり，同一配管を通じて，蓄氷時には蓄熱槽内にシャーベット状の氷を供給し，かつ蓄熱槽を顕熱蓄熱槽として使用する場合に顕熱用水を供給することができ，しかも放出した氷で放出口が閉塞せず，また蓄氷時には蓄熱槽内に圧密度の高い蓄氷を可能とする蓄熱槽用供給部材，並びに該蓄熱槽用供給部材を使用した氷蓄熱システムの運転方法を提供することを目的とするものである。
【０００７】
【課題を解決するための手段】
前記目的を達成するため，請求項１によれば，蓄熱槽内にシャーベット状の氷を供給するための供給部材であって，前記シャーベット状の氷を蓄熱槽内に供給する配管に取り付けられ，垂直に配置される筒型の本体と，前記本体の頂上部に形成された第１の開口部と，前記本体の側面に形成された第２の開口部とを有し，前記第２の開口部の通過抵抗が，前記第２の開口部から前記第１の開口部までの水頭圧以上であることを特徴とする，蓄熱槽用供給部材が提供される。
【０００８】
ここで本体の頂上部に形成された，第２の開口部の通過抵抗が，第２の開口部から第１の開口部までの水頭圧以上であるということは，第２の開口部を通過するのに必要な水位差（水頭圧）が，第２の開口部から第１の開口部までの水位差（水頭圧）以上であることを意味し，第２の開口部から第１の開口部の長さと，第２の開口部の開口面積，開口率などを各々調整することで，かかる設定を実現することができる。
【０００９】
本発明にかかる蓄熱槽用供給部材を使用する場合には，第１の開口部を蓄熱槽内の液面上に，かつ第２の開口部を液面下に位置させるようにして使用する。そして蓄氷時など，氷蓄熱時にはシャーベット状の氷を，冷温水蓄熱時には顕熱用の冷水や温水を配管を通じて供給する。
【００１０】
ところでこの種の蓄熱槽を潜熱を利用する氷蓄熱と，顕熱を利用する温水蓄熱とを比較すると，図１に示したように，蓄熱時，放熱時ともに槽を循環する水量比が，例えば９０〜１１０：１０と極めて大きい。すなわち氷蓄熱の場合には流量が大きく温水蓄熱の場合には，流量がその１／１０程度である。
【００１１】
前記したように，本発明の蓄熱用供給部材は第２の開口部の通過抵抗が第２の開口部から第１の開口部までの水頭圧以上であるので，氷蓄熱時の搬送流量が大きい場合には，第２の開口部を通過する際の圧力損失が，上方の第１の開口部への流路，すなわち水頭圧より大きいので，シャーベット状の氷は第１の開口部から優先的に噴出して，蓄熱槽内に放出される。この場合，空気中に放出され，液面上に堆積していくので，高密度の蓄氷を実現することが可能である。また第１の開口部が閉塞する可能性は従来より大幅に低減している。
【００１２】
一方温水蓄熱時においては流量が少ないため，前記水頭圧を越えない流速で配管内に温水を供給することで，本体側面の第２の開口部から温水が蓄熱槽内の水面下に流れ出る。したがって，温水の密度差を利用した温度成層蓄熱を実施することが可能である。
【００１３】
しかも以上の作用の実現にあたっては，人為的な弁の切換操作などが不要である。
【００１４】
また本発明によれば，蓄熱槽内にシャーベット状の氷を供給するための供給部材であって，前記シャーベット状の氷を蓄熱槽内に供給する配管に取り付けられ，垂直に配置される筒型の本体と，前記本体の頂上部に形成された第１の開口部と，前記本体の側面に形成された第２の開口部とを有し，前記第２の開口部は複数のスリット又は小径の孔からなることを特徴とする，蓄熱槽用供給部材が提供される。
【００１５】
かかる構成の蓄熱槽用供給部材も，使用にあたっては，先の蓄熱槽用供給部材と同様，第１の開口部を蓄熱槽内の液面上に，かつ第２の開口部を液面下に位置させるようにして使用する。そして蓄氷時にはシャーベット状の氷を，冷温水蓄熱時には顕熱用の冷水や温水を配管を通じて供給する。このときシャーベット状の氷の供給時には，流速を例えば１ｍ／ｓ以上とすることにより，第２の開口部を通過する際の圧力損失が，上方の第１の開口部への流路，すなわち水頭圧より大きくなり，シャーベット状の氷は第１の開口部から優先的に噴出して，蓄熱槽内に放出される。一方，冷水や温水を供給する場合には，その１／１０の流速，例えば０．１ｍ／ｓ以下とすることにより，第２の開口部のみから蓄熱槽内の水面下に顕熱用水を流れ出させることができ，しかも温度成層を乱さない。
同じ蓄熱槽を用いる場合，氷・水スラリーと温水では密度の差があり，これも合わせて考慮して流量を変える。そのため既述したように，氷蓄熱の場合の流量が温水蓄熱の約１０倍程度のときには，氷・水スラリーの流速は温水の流速の１０倍程度となる。但し，パンチング板，その他の抵抗部材の選択によって，流速を５倍以上としてもよい。
【００１６】
これらの蓄熱槽用供給部材において，本体における第２の開口部の下側周囲に，水平板を設けたり，またさらに本体における第２の開口部の上側周囲に，また別の水平板を設ければ，第２の開口部から温水などが流れ出て行く際に，均一に拡散して好適な温度成層を実現することが可能になる。
【００１７】
また本発明によれば，蓄熱槽内の水を取水してシャーベット状の氷を生成し，当該シャーベット状の氷を配管を通じて蓄熱槽内に供給するように構成された氷蓄熱システムにおいて，前記配管に対して請求項１〜４のいずれかに記載の蓄熱槽用供給部材を取り付けると共に，前記蓄熱槽用供給部材における第１の開口部が槽内の液面より突出し，かつ第２の開口部が槽内の液面下に位置するように前記蓄熱槽用供給部材を位置させ，シャーベット状の氷を供給する際には，前記蓄熱槽用供給部材における第１の開口部からシャーベット状の氷を吐出させ，前記蓄熱槽を顕熱蓄熱槽として利用する場合には，前記配管を通じて前記蓄熱槽用供給部材における第２の開口部から顕熱用水を槽内に供給することを特徴とする，氷蓄熱システムの運転方法が提供される。
【００１８】
かかる運転方法により，同一の蓄熱槽用供給部材から氷蓄熱時にはシャーベット状の氷を蓄熱槽内に供給して高密度の蓄氷が可能になり，顕熱蓄熱時には温水などを供給して温度成層の良好な蓄熱が行える。
【００１９】
【発明の実施の形態】
以下に，本発明の好ましい実施の形態を図面に基いて説明する。図２は，本実施の形態にかかる蓄熱槽用供給部材１を使用した，ダイナミック型の氷蓄熱システムＳの全体の構成を示しており，蓄熱槽１１の底部には，取水部１２が設置されている。この取水部１２はパンタングメタルやメッシュで外形が囲まれており，その中に取水管１３の取水口（図示せず）が開口している。
【００２０】
取水管１３を通じてポンプ１４によって取水された水は，冷凍機，例えばダブルハンドルターボ冷凍機１５に送られ，凝縮側にて加熱可能である。そして加熱され温水となった水は蓄熱槽１１内に通ずる供給管１６にて蓄熱槽１１に供給することが可能になっている。なお取水管１３のポンプ１４の上流側には，バルブＶ１が設けられ，供給管１６の途中にもバルブＶ２が設けられている。
【００２１】
前記バルブＶ１の上流側には，分岐取水管２１の一端部が接続され，その他端部は，過冷却器２２に接続されている。分岐取水管２１には，バルブＶ３，その下流側にポンプ２３が設けられている。過冷却器２２は，例えばシェルアンドチューブ型を有し，ブライン冷凍機２４との間でブラインが循環し，分岐取水管２１から過冷却器２２に供給された水を，０℃以下の過冷却状態にして，過冷却解除器２５に吐出する構成を有している。すなわち，蓄熱槽１１から熱媒となる水を取水する取水管は水加熱器（図示せず）と水冷却器（図示せず）に接続され，両熱源機器への通水が切り換えられるようになっている。またバルブＶ１とバルブＶ２は温水製造時には開放，氷・水スラリー精製時には閉鎖され，バルブＶ３は，前記２つのバルブとは逆の動作をする。
【００２２】
過冷却解除器２５において過冷却状態が解除され生成される，氷・水スラリーのいわゆるシャーベット状の氷は，過冷却解除器２５の下部に接続された移送管２６から，バルブＶ２の下流側にて供給管１６へと移送される。供給管１６は，蓄熱槽１１内において槽の底部を横切る本管１６ａから分岐して立ち上げ管１６ｂが垂直に（図示の例では間隔をおいて２本）配管され，その先端に本実施の形態にかかる蓄熱槽用供給部材１が取り付けられている。
なお図示はしないが，蓄熱槽１１中の熱媒（温水や氷・水スラリー）は，空調機や，一次側と二次側を区画する熱交換器などの空調負荷，その他の冷却・加熱負荷に送られ，温度調整に供された後，返送される。この時の熱媒の取水口は，例えば蓄熱槽１１の底部に設けられる。
【００２３】
本実施の形態にかかる蓄熱槽用供給部材１は，図３，図４にその詳細を示したように，筒状の本体３１の頂上部に第１の開口部３２が形成され，本体３１の側面全周に第２の開口部となる小孔３３が多数形成されている。本体３１における小孔３３が形成されている領域を，パンチングメタルなどの多孔板で形成すれば，製作が容易である。
【００２４】
そして蓄熱槽用供給部材１における最上段に位置する小孔３３から第１の開口部までの高さｈと，小孔３３の大きさ，数は，小孔３３を流れ出る際の通過抵抗が，高さｈの水頭圧以上となるように，各々設定されている。すなわち小孔３３を流れ出る際の水位差（水頭圧）が，高さｈの水頭圧以上となるように，各々設定されている。
【００２５】
本体３２における最下段に位置する小孔３３の下側外周には，環状の第１の円板３４が同心状に取り付けられており，本体３２における最上段に位置する小孔３３の上側外周には，環状の第２の円板３５が同心状に取り付けられている。そしてかかる構成を有する蓄熱槽用供給部材１は，図２に示したように，第１の開口部３２が，蓄熱槽１１内の水面より突出し，かつ第２の開口部を構成している小孔３３の中で，最上段に位置する小孔３３が水面下に位置するように，供給管１６の先端に取り付けられ，配置されている。
【００２６】
氷蓄熱システムＳは，以上の構成を有しており，まず潜熱を利用する氷蓄熱時の運転について説明すると，図２に示したように，バルブＶ１，Ｖ２を閉鎖し，バルブＶ３を開放して，過冷却器２２，ブライン冷凍機２４を稼働させる。そうすると過冷却解除器２５において生成されたシャーベット状の氷が，供給管１６を通じて蓄熱槽用供給部材１の第１の開口部３２から垂直に噴出される。このときの供給管１６内を流れる氷・水スラリーの搬送速度は，既述したように，１ｍ／ｓ以上としてもよく，また後述の発明者らの実験に基づいた提案例のように，０．８ｍ／ｓ以上，すなわち温水の搬送速度の６倍以上の速度（空塔速度，換言すれば供給管１６の軸方向の流速）としてもよい。そのため過冷却解除器２５の設置高さ，より詳述すれば，略筒状の過冷却解除器２５内における水面の高さが，第１の開口部３２よりもある程度高く，例えば１０００ｍｍ程度高くなるように設定しておく。もちろんかかる設定は，例えば５００ｍｍ〜２０００ｍｍの範囲で設定してもよい。
【００２７】
ここで第２の開口部を構成している小孔３３での圧力損失は，高さｈの水頭圧よりも大きく設定してあるので，シャーベット状の氷は，小孔３３よりも第１の開口部３２から優先的に噴出する。したがって，シャーベット状の氷は，第１の開口部３２から垂直に噴出され，噴水のように周囲に均等に放出され，水面上に堆積していく。そしてその後もこのような蓄氷運転を続けていくことで，蓄熱槽１１内の氷は，堆積していく氷の自重と，落下の際の圧力とによって高度に圧密されたものとなっていく。しかも噴水のようにして大気中で周囲に放出しているので，第１の開口部３２が閉塞することはない。
【００２８】
一方，顕熱蓄熱時，例えば温水蓄熱時には，次のように運転される。まず図５に示したように，分岐取水管２１のバルブＶ３を閉鎖し，取水管１３のバルブＶ１，供給管１６のバルブＶ３を開放する。これによって蓄熱槽１１とダブルハンドルターボ冷凍機１５との間で循環系が構成される。そして取水管１３からの蓄熱槽１１内の水は，ダブルハンドルターボ冷凍機１５の稼動によって加熱されて温水となり，供給管１６を通じて蓄熱槽用供給部材１に供給される。このときの供給管１６を流れる温水の流速は，例えば０．１ｍ／ｓ以下としてもよく，また後述の発明者らの実験に基づく提案例のように，０．１５ｍ／ｓ以下，つまり別な指標でいえば，氷・水スラリーの１／６以下の流速としてもよい。
【００２９】
かかる流速によって蓄熱槽用供給部材１に供給された温水は，前記した高さｈの水頭圧以下であり，本体３１の頂上部にある第１の開口部まで到達することなく，より下方に位置する第２の開口部を構成している小孔３３から，水中の水平方向に吐出される。このとき小孔３３の最下段の小孔３３の下側周囲には，第１の円板３４が設けられているので，小孔３３から吐出された温水は，該第１の円板に沿って整流され，ゆっくりとした速度で本体の周囲に均一に流れ出て行く。したがって蓄熱槽１１内の温度成層を乱すことはない。特に本実施の形態では，第２の開口部を構成する小孔３３群の中で最上段に位置する小孔３３の上側にも，第２の円板３５が設けられているので，そのような整流効果はさらに向上している。
【００３０】
図３に示した蓄熱槽用供給部材１を採用した場合，発明者らの実験結果にによれば，小孔３３の径やピッチをも考慮すると，例えば各部の設定は次のものを提案することができる。蓄熱槽用供給部材１の１基あたりの運転条件について，氷・水スラリーについての供給水量を１０４ｍ３／ｈ，温水についての供給水量を１５．６ｍ３／ｈとした場合，
第１の開口部３２の径：１５０ｍｍ
小孔３３の穴径：３ｍｍ
小孔３３のピッチ：６ｍｍ
開口率：０．１００８３５
高さｈ：１１０ｍｍ
第１の円板３４と第２の円板３５との間の間隔：５０ｍｍ
のものが提案できる。
かかる場合，氷・水スラリーの本体３１内を流れる流速は，０．８１７８０３ｍ／ｓで，一方温水のときの流速は，０．１２２６７ｍ／ｓとして，所期の目的を達成することができた。
【００３１】
以上のように，本実施の形態にかかる蓄熱槽用供給部材１を使用すれば，ダイナミック型の氷蓄熱システムＳにおいて，蓄熱槽１１を氷の潜熱を利用した氷蓄熱時はもちろんのこと，水の顕熱を利用する温水蓄熱のときもそのまま利用できる。しかも人為的な弁の開閉操作などをすることなく，第１の開口部３２から噴出させて水面上にこれを堆積させて高密度で蓄氷させることができ，また一方，水面下に位置している多数の小孔３３から水平方向に温水を吐出させて良好な温度成層の蓄熱を実現することが可能である。
【００３２】
しかもシャーベット状の氷は槽内の水面上に突出している第１の開口部３２から噴水のように噴出させているから，噴出した氷によって開口部が閉塞するおそれはないものである。
【００３３】
前記実施の形態で用いた蓄熱槽用供給部材１においては，本体３１の側面全周に第２の開口部となる小孔３３を多数形成した構成としていたが，当該小孔３３が形成されている側面の外周で，かつ第１の円板３４と第２の円板３５との間に，さらにパンチングメタル等によって構成された筒状の部材を例えば，二重，三重と配置してもよい。これによって温水吐出の際の整流効果がさらに向上する。
【００３４】
なお前記実施の形態で用いた蓄熱槽用供給部材１の本体３１は，円筒形状のものを使用したが，これに限らず例えば図６に示した本体４１のように角筒形状のものであっても良い。この場合，小孔３３から吐出される温水を周囲に均一に拡散させる整流板４２も，同図に示したような方形のものであってもよい。
【００３５】
さらにまた図７に示した蓄熱槽用供給部材５１は，本体５２を上側部５２ａ，下側部５２ｂに分割させた形状とし，上側部５２ａの下端と，下側部５２ｂの上端を外周から覆う径大の筒状部材５３を，上側部５２ａの下端と下側部５２ｂの上端との間に配置した構成を有している。そして筒状部材５３と本体５２の間の空隙５４が第２の開口部を構成している。なお筒状部材５３は，適宜の支持部材５５で上側部５２ａ，下側部５２ｂと接続されている。かかる構成の蓄熱槽用供給部材５１を用いても，人為的な弁切り替え操作なしに，シャーベット状の氷を上側部５２ａの頂上部に形成されている第１の開口部３２から噴出させ，また一方空隙５４から温水を吐出させることができる。
【００３６】
また図８に示した蓄熱槽用供給部材６１のように，本体６２を，筒状の外側本体６２ａと内側本体６２ｂの二重構造とし，両者間に適宜の支持部材６３を渡した構成としてもよい。かかる場合には，外側本体６２ａの頂上部の開口が第１の開口部３２を構成し，外側本体６２ａと内側本体６２ｂとの間の空隙ｄが，本体６２側面の第２の開口部を構成する。
その他，例えば上記した本体５２を上側部５２ａ，下側部５２ｂに分割させた形状とし，両者間に隙間を空け，上側部５２ａの下端と下側部５２ｂの上端部との間に，接続と抵抗を兼ねた適宜の柱部材を適宜間隔の下で，例えば環状に配置したような構成としてもよい。この場合には，当該柱部材相互間の空隙が，第２の開口部を構成することになる。
【００３７】
【発明の効果】
本発明によれば，同一の配管を通じて，蓄氷時には蓄熱槽内にシャーベット状の氷を供給し，かつ蓄熱槽を顕熱蓄熱槽として使用する場合に顕熱用水を供給することができ，しかも放出した氷で放出口が閉塞せず，また蓄氷時には蓄熱槽内に圧密度の高い蓄氷が可能になる。そのうえ人為的な弁の操作が不要である。
【図面の簡単な説明】
【図１】ダイナミック型氷蓄熱システムと温度成層型の温水蓄熱との水量比等の比較を示す図表である。
【図２】本実施の形態にかかる蓄熱槽用供給部材を使用した氷蓄熱システムの構成の概略を示し，蓄氷時の説明図である。
【図３】本実施の形態にかかる蓄熱槽用供給部材の斜視図である。
【図４】図３の蓄熱槽用供給部材の側面断面図である。
【図５】図２の氷蓄熱システムにおいて温水蓄熱時の説明図である。
【図６】各筒型の本体を有する他の実施の形態にかかる蓄熱槽用供給部材の斜視図である。
【図７】分割型の本体を有する他の実施の形態にかかる蓄熱槽用供給部材の斜視図である。
【図８】二重筒型の本体を有する他の実施の形態にかかる蓄熱槽用供給部材の斜視図である。
【符号の説明】
Ｓ　　氷蓄熱システム
１　　蓄熱槽用供給部材
１１　　蓄熱槽
１６　　供給管
３１　　本体
３２　　第１の開口部
３３　　小孔
３４　　第１の円板
３５　　第２の円板
【図１】
2004093000.tif 000003
【図２】
2004093000.tif 000004
【図３】
2004093000.tif 000005
【図４】
2004093000.tif 000006
【図５】
2004093000.tif 000007
【図６】
2004093000.tif 000008
【図７】
2004093000.tif 000009
【図８】
2004093000.tif 000010